(57)【特許請求の範囲】
【請求項１】
縦方向および横方向と、身体側およびその反対側と、前ウエスト域、後ウエスト域および前記前後ウエスト域間に位置するクロッチ域を含むシャーシと、少なくとも前記クロッチ域に位置する吸収体と、前記シャーシの前後端縁によって形成されたウエスト開口と、前記シャーシの両側縁によって形成されたレッグ開口とを有し、前記前後ウエスト域には、前記横方向に延びるとともに前記縦方向に離間した複数のウエスト弾性体が伸長状態で収縮可能に取り付けられた使い捨て着用物品において、
前記前後ウエスト域の少なくともいずれか一方には、前記横方向に延びる低剛性領域と、前記低剛性領域の前記縦方向の両側に隣接する高剛性領域とを有する剛性変化域が形成され、
前記シャーシは、前記身体側に位置する内面シートと、前記反対側に位置する外面シートと、前記前後ウエスト域の少なくとも一方の前記ウエスト開口を形成する開口シートとを有し、
前記開口シートは、前記反対側に位置する第１シート部と、前記身体側に位置する第２シート部と、前記第１および第２シート部の間に位置し前記ウエスト開口に一致する境界線とを有し、
前記第１シート部は、前記内面シートおよび前記外面シートに重なり、前記第２シート部は、前記内面シートに重なり、前記第２シート部と前記外面シートとは、前記縦方向に離間して配置され、
前記低剛性領域は、前記第２シート部と前記外面シートとの離間部分において前記第１シート部および前記内面シートのみが積層された部分によって形成され、前記高剛性領域は、前記第１シート部と前記第２シート部と前記内面シートとが積層された部分、および前記第１シート部と前記外面シートと前記内面シートとが積層された部分によってそれぞれ形成され、前記低剛性領域は、積層された前記シートの枚数が、前記高剛性領域のそれよりも少なく、
前記ウエスト弾性体は、前記外面シートと前記内面シートとの間に位置して前記縦方向において前記低剛性域の内側に配置された内側ウエスト弾性体と、前記第１シート部と前記第２シート部との間に位置して前記縦方向において前記低剛性域の外側に配置された外側ウエスト弾性体とを含み、
前記剛性変化域は、前記縦方向において前記内側ウエスト弾性体と前記外側ウエスト弾性体との間に区画されることを特徴とする前記使い捨て着用物品。
【請求項２】
前記剛性変化域の前記縦方向の長さ寸法が、複数の前記内側ウエスト弾性体の前記縦方向の離間寸法および複数の前記外側ウエスト弾性体の前記縦方向の離間寸法よりも大きい請求項１記載の使い捨て着用物品。
【請求項３】
前記高剛性領域は、前記低剛性領域の前記縦方向の内側に位置する内側高剛性領域と、前記低剛性領域の前記縦方向の外側に位置する外側高剛性領域とを含む請求項１又は２記載の使い捨て着用物品。
【請求項４】
前記剛性変化域を区画する前記内側ウエスト弾性体のうち最も前記縦方向の外側に位置するものは前記第１シート部の端縁に重なって位置し、前記剛性変化域を区画する前記外側ウエスト弾性体のうち最も前記縦方向の内側に位置するものは前記内面シートの端縁に重なって位置する請求項１〜３のいずれかに記載の使い捨て着用物品。
【請求項５】
前記低剛性領域の前記縦方向の長さ寸法は、１ｍｍ以上１０ｍｍ以下である請求項１〜４のいずれかに記載の使い捨て着用物品。
【請求項６】
前記剛性変化域の前記縦方向の長さ寸法は、２０ｍｍ以上３５ｍｍ以下である請求項１〜５のいずれかに記載の使い捨て着用物品。
【発明の詳細な説明】
【技術分野】
【０００１】
この発明は、使い捨て着用物品に関し、さらに詳しくはウエスト域に複数本の弾性体が取り付けられた使い捨てのおむつ、排泄トレーニングパンツ、失禁ブリーフ等の使い捨て着用物品に関する。
【背景技術】
【０００２】
従来、使い捨て着用物品として前後ウエスト域に複数本の弾性体が取り付けられた使い捨ておむつが知られている。例えば、特許文献１によれば、おむつの前後ウエスト域には、横方向に延びる複数本の弾性体が取り付けられ、縦方向に離間して取り付けられている。おむつの前後ウエスト域には、弾性体の縦方向の間隔が隣接する弾性体の間隔よりも大きくされたズレ吸収緩衝帯が形成されている。
【先行技術文献】
【特許文献】
【０００３】
【特許文献１】特開２００８−２４５８８４号公報（ＪＰ  ２００８−２４５８８４  Ａ）
【発明の概要】
【発明が解決しようとする課題】
【０００４】
特許文献１のおむつでは、前記前後ウエスト域は、それぞれ上層不織布と下層不織布とにより形成され、これら上下層不織布の間に弾性体が取り付けられている。ズレ吸収緩衝帯には、弾性体の収縮によって縦方向に延びる凹条および凸条が形成され、これら凹凸条によってギャザーが形成される。これらギャザーによって、ズレ吸収緩衝帯はその剛性が大きくなり、特に縦方向寸法を縮めるような、すなわち、横方向に延びる皺などが形成されにくい。
【０００５】
この発明は、前後ウエスト域の少なくともいずれか一方において、横方向に延びる折曲線に沿って容易に折曲可能な使い捨て着用物品を提供することを課題とする。
【課題を解決するための手段】
【０００６】
この発明は、縦方向および横方向と、身体側およびその反対側と、前ウエスト域、後ウエスト域および前記前後ウエスト域間に位置するクロッチ域を含むシャーシと、少なくとも前記クロッチ域に位置する吸収体と、前記シャーシの前後端縁によって形成されたウエスト開口と、前記シャーシの両側縁によって形成されたレッグ開口とを有し、前記前後ウエスト域には、前記横方向に延びるとともに前記縦方向に離間した複数のウエスト弾性体が伸長状態で収縮可能に取り付けられた使い捨て着用物品の改良に関わる。
【０００７】
この発明は、前記着用物品において、前記シャーシは、積層される複数枚のシートによって形成され、前記前後ウエスト域の少なくともいずれか一方には、前記横方向に延びる低剛性領域と、前記低剛性領域の前記縦方向の両側に隣接する高剛性領域とを有する剛性変化域が形成され、前記シャーシは、前記身体側に位置する内面シートと、前記反対側に位置する外面シートと、前記前後ウエスト域の少なくとも一方の前記ウエスト開口を形成する開口シートとを有し、前記開口シートは、前記反対側に位置する第１シート部と、前記身体側に位置する第２シート部と、前記第１および第２シート部の間に位置し前記ウエスト開口に一致する境界線とを有し、前記第１シート部は、前記内面シートおよび前記外面シートに重なり、前記第２シート部は、前記内面シートに重なり、前記第２シート部と前記外面シートとは、前記縦方向に離間して配置され、前記低剛性領域は、前記第２シート部と前記外面シートとの離間部分において前記第１シート部および前記内面シートのみが積層された部分によって形成され、前記高剛性領域は、前記第１シート部と前記第２シート部と前記内面シートとが積層された部分、および前記第１シート部と前記外面シートと前記内面シートとが積層された部分によってそれぞれ形成され、前記低剛性領域は、積層された前記シートの枚数が、前記高剛性領域のそれよりも少なく、前記ウエスト弾性体は、前記外面シートと前記内面シートとの間に位置して前記縦方向において前記低剛性域の内側に配置された内側ウエスト弾性体と、前記第１シート部と前記第２シート部との間に位置して前記縦方向において前記低剛性域の外側に配置された外側ウエスト弾性体とを含み、前記剛性変化域は、前記縦方向において前記内側ウエスト弾性体と前記外側ウエスト弾性体との間に区画されることを特徴とする。
【０００８】
この発明の実施態様のひとつとして、前記剛性変化域の前記縦方向の長さ寸法が、複数の前記内側ウエスト弾性体の前記縦方向の離間寸法および複数の前記外側ウエスト弾性体の前記縦方向の離間寸法よりも大きい。
【０００９】
他の実施態様のひとつとして、前記高剛性領域は、前記低剛性領域の前記縦方向の内側に位置する内側高剛性領域と、前記低剛性領域の前記縦方向の外側に位置する外側高剛性領域とを含む。
【００１０】
他の実施態様のひとつとして、前記剛性変化域を区画する前記内側ウエスト弾性体のうち最も前記縦方向の外側に位置するものは前記第１シート部の端縁に重なって位置し、前記剛性変化域を区画する前記外側ウエスト弾性体のうち最も前記縦方向の内側に位置するものは前記内面シートの端縁に重なって位置する。
【００１１】
他の実施態様のひとつとして、前記低剛性領域の前記縦方向の長さ寸法は、１ｍｍ以上１０ｍｍ以下である。
【００１２】
他の実施態様のひとつとして、前記剛性変化域の前記縦方向の長さ寸法は、２０ｍｍ以上３５ｍｍ以下である。
【発明の効果】
【００１３】
この発明は、特にそのひとつ以上の実施態様によれば、前後ウエスト域の少なくともいずれか一方には、横方向に延びる低剛性領域と、低剛性領域の縦方向の両側に隣接する高剛性領域とを有する剛性変化域が形成され、剛性変化域が縦方向に離間する一対のウエスト弾性体によって区画されている。したがって、着用物品は、低剛性領域に沿って折れ曲がりやすくなる。
【図面の簡単な説明】
【００１４】
【図１】使い捨て着用物品の一例であるおむつの斜視図。
【図２】おむつの展開平面図。
【図３】図２のＩＩＩ−ＩＩＩ線模式断面図。
【図４】図２の分解組立図。
【図５】（ａ）図３のＶＡ部分拡大図。（ｂ）図３のＶＢ部分拡大図。
【発明を実施するための形態】
【００１５】
図１〜５は、この発明の一実施態様を示すものであり、着用物品として使い捨ておむつを例に挙げて説明する。図１は、おむつ１のウエスト開口５およびレッグ開口６が環状に保たれた状態の斜視図であり、図２は、おむつ１の身体側から見た展開平面図であって、おむつの各弾性体をその収縮力に抗して伸長させ、おむつ１を平面に保った状態を示したものである。図３は、図２のＩＩＩ−ＩＩＩ線断面図であり、各シート間を離間して模式的に示している。図４は、図２の分解組立図であり、図５（ａ）は、図３のＶＡ部分の拡大図、図５（ｂ）は、図３のＶＢ部分の拡大図である。
【００１６】
おむつ１は、縦方向Ｙおよび横方向Ｘと、身体側およびその反対側である着衣側と、前ウエスト域２、後ウエスト域３、前後ウエスト域２，３の間に位置するクロッチ域４とを含む。おむつ１は、前後ウエスト域２，３の両側縁７を互いに接合することによって、横方向Ｘに延びる前後端縁８，９でウエスト開口５が形成され、クロッチ域４に位置する両側縁７でレッグ開口６が形成される。また、おむつ１は、横方向Ｘの長さ寸法を二等分する仮想縦中心線Ｐ−Ｐと、縦方向Ｙの長さ寸法を二等分する仮想横中心線Ｑ−Ｑとを有し、仮想縦中心線Ｐ−Ｐに対してほぼ対称に形成されている。両側縁７は、クロッチ域４において、仮想縦中心線Ｐ−Ｐに向かって、その横方向Ｘの長さ寸法が小さくなるように湾曲されている。
【００１７】
おむつ１は、前後ウエスト域２，３およびクロッチ域４を有するシャーシ１０と、シャーシ１０の身体側に位置するとともにクロッチ域４から前後ウエスト域２，３に延びる吸収体３０と、漏れバリアカフ４０とを有する。
【００１８】
シャーシ１０は、前後ウエスト域２，３の一部をそれぞれ形成し、着衣側に位置する前後外面シート１１，１２と、前後外面シート１１，１２の内側であってその一部に重なり、前後ウエスト域２，３の一部とクロッチ域４とを形成する内面シート１３とを有する。前後外面シート１１，１２は縦方向Ｙに離間して配置され、これらシート１１，１２を連結するように内面シート１３が配置されている。前後外面シート１１，１２および内面シート１３として、疎水性のスパンボンド繊維不織布、ＳＭＳ（スパンボンド・メルトブローン・スパンボンド）繊維不織布等を用いることができる。
【００１９】
前外面シート１１は、横方向Ｘに延びる内外端縁１１ａ，１１ｂと、縦方向Ｙに延びる両側縁１１ｃとを有し、全体的にほぼ矩形にされている。後外面シート１２は、横方向Ｘに延びる内外端縁１２ａ，１２ｂと、縦方向Ｙに延びる両側縁１２ｃとを有し、前後外面シート１１，１２の外端縁１１ｂ，１２ｂを互いに重ね合わせたときに、後外面シート１２の内端縁１２ａが前外面シート１１の内端縁１１ａから延出する寸法関係を有している。この延出した領域はほぼ台形にされている。
【００２０】
前後外面シート１１，１２および内面シート１３の間には、前外面シート１１に接合される前漏れ防止シート１４と、後外面シート１２に接合される後漏れ防止シート１５と、これら前後漏れ防止シート１４，１５の縦方向Ｙの間に位置し内面シート１３に接合されるクロッチ漏れ防止シート１６とを有し、クロッチ漏れ防止シート１６の着衣側には被覆シート１７が接合されている。これら漏れ防止シート１４，１５，１６として、疎水性かつ透湿性のプラスチックフィルム等を用いることができ、おむつ１から尿等が漏れるのを防止することができる。クロッチ漏れ防止シート１６と被覆シート１７とは、ほぼ同形同大とされ、被覆シート１７として疎水性繊維不織布等を用いることができる。前後漏れ防止シート１４，１５の外面を前後外面シート１１，１２で覆い、クロッチ漏れ防止シート１６の外面を被覆シート１７で覆うことによって、おむつ１の着衣側の肌触りを向上させることができる。各シートを互いに接合する接合手段として、例えば、ホットメルト接着剤を用いることができる。
【００２１】
前外面シート１１と内面シート１３との間には、横方向Ｘに伸長状態で収縮可能に延びる複数本の前ウエスト弾性体１８ａと前レッグ弾性体１８ｂが取り付けられている。前レッグ弾性体１８ｂは、内端縁１１ａに沿って取り付けられ、前ウエスト弾性体１８ａは、前レッグ弾性体１８ｂの縦方向Ｙに隣接してその外端縁１１ｂ側に取り付けられている。前ウエスト弾性体１８ａおよび前レッグ弾性体１８ｂは、それぞれ縦方向Ｙに離間して配置され、前外面シート１１および内面シート１３の少なくともいずれか一方にホットメルト接着剤等の接合手段によって接合されている。
【００２２】
後外面シート１２と内面シート１３との間には、後ウエスト弾性体１９ａと後レッグ弾性体１９ｂとがそれぞれ複数本取り付けられている。後ウエスト弾性体１９ａは、横方向Ｘに伸長状態で収縮可能に取り付けられ、縦方向Ｙに離間して配置されている。後レッグ弾性体１９ｂは、後外面シート１２の内端縁１２ａに沿って伸長状態で収縮可能に取り付けられて、互いに離間して配置されている。後ウエスト弾性体１９ａおよび後レッグ弾性体１９ｂは、後外面シート１２および内面シート１３の少なくともいずれか一方にホットメルト接着剤等の接合手段によって接合されている。
【００２３】
前後外面シート１１，１２の縦方向Ｙ外側には、それぞれ前後開口シート２１，２２が接合されている。前開口シート２１は、前外面シート１１の外端縁１１ｂであってその外面に接合され、後開口シート２２は、後外面シート１２の外端縁１２ｂであってその外面に接合される。前後開口シート２１，２２は、境界線２３を介して外面に位置する第１シート部２４，２５と、内面に位置する第２シート部２６，２７とを有している。すなわち、前後開口シート２１，２２は、境界線２３を介して折り畳まれ、第１シート部２４，２５と第２シート部２６，２７とがそれぞれ積層されている。境界線２３によってウエスト開口５が形成され、シャーシ１０の前後端縁８，９が形成される（図１参照）。
【００２４】
内面シート１３の内面側には、吸収体３０が取り付けられている。吸収体３０は、フラッフパルプや超吸収ポリマー粒子等、またはこれらの混合物によって構成された芯材と、芯材を覆うティッシュペーパ等を含み、芯材の吸収面側にはこれを覆う身体側ライナ３１が取り付けられている。身体側ライナ３１は、エアスルー不織布やスパンボンド不織布等の透液性の繊維不織布を用いることができる。吸収体３０には、縦方向Ｙに延びる複数条のスリット３２が形成されている。スリット３２が形成された部分では、芯材がほとんど存在せず、これらスリット３２に沿って吸収体３０が折れ曲がり、着用者の身体に密着しやすくすることができる。また、スリット３２の形成によって、芯材の吸収面が増大し、速やかな尿等の吸収が可能となる。
【００２５】
吸収体３０と内面シート１３との間には、一対の漏れバリアカフ４０が取り付けられている。漏れバリアカフ４０は、横方向Ｘに離間して取り付けられ、縦方向Ｙに延びている。漏れバリアカフ４０は、横方向Ｘ内側に位置する内側縁４１が吸収体３０と内面シート１３との間で接合され、横方向Ｘ外側に位置する外側縁４２には、縦方向Ｙに延びるとともに、縦方向Ｙに伸長状態で収縮可能なカフ弾性体４３が複数本取り付けられている。外側縁４２は、内面シート１３に接合されず、カフ弾性体４３の収縮によって内面シート１３から起立するように離間して、着用者の鼠蹊部近傍に密着し、尿等の漏れを防止することができる。
【００２６】
図５（ａ）および（ｂ）は、図３のＶＡおよびＶＢ部分の拡大図である。前後開口シート２１，２２は、第１シート部２４，２５の縦方向Ｙの長さ寸法が、第２シート部２６，２７のそれよりも大きくなるようにされている。具体的には、前開口シート２１の第１シート部２４の端縁２４ａから境界線２３までの長さ寸法Ｌ１は約６０〜８５ｍｍ、この実施形態では約６４．５ｍｍとされ、第２シート部２６の端縁２６ａから境界線２３までの長さ寸法Ｌ２は約４０〜７０ｍｍ、この実施形態では約４２ｍｍとされ、これら第１および第２シート部２４，２６の寸法差は、約１５〜３０ｍｍ、この実施形態では約２２．５ｍｍとされている。後開口シート２２の第１シート部２５の端縁２５ａから境界線２３までの長さ寸法Ｌ３は約１００〜１２５ｍｍ、この実施形態では約１０４．５ｍｍとされ、第２シート部２７の端縁２７ａから境界線２３までの長さ寸法Ｌ４は約８０〜１００ｍｍ、この実施形態では約８２ｍｍとされ、これら第１および第２シート部２５，２７の寸法差は、約１５〜３０ｍｍ、この実施形態では約２２．５ｍｍとされている。
【００２７】
第１シート部２４，２５および第２シート部２６，２７との間には、複数本の前後開口弾性体２８，２９が縦方向Ｙに離間して取り付けられている。前後開口弾性体２８，２９は、横方向Ｘに延びるとともに、伸長状態で収縮可能に取り付けられている。前開口弾性体２８は、境界線２３から縦方向Ｙの約３２ｍｍまでの間に取り付けられ、第１および第２シート部２４，２６の端縁２４ａ，２６ａから離間されている。後開口弾性体２９は、境界線２３から縦方向Ｙの約７２ｍｍまでの間に取り付けられ、第１および第２シート部２５，２７の端縁２５ａ，２７ａから離間されている。この実施形態では、前後開口弾性体２８，２９、前後ウエスト弾性体１８ａ，１９ａおよび前後レッグ弾性体１８ｂ，１９ｂによって、この発明のウエスト弾性体を構成している。
【００２８】
前後開口シート２１，２２の第１シート部２４，２５の端縁２４ａ，２５ａは、前後外面シート１１，１２の外面に重なって接合され、第２シート部２６，２７の端縁２６ａ，２７ａは、前後外面シート１１，１２から縦方向Ｙに離間して積層される。すなわち、第１シート部２６の端縁２６ａと、前外面シート１１の外端縁１１ｂとは、互いに接触することなく縦方向Ｙに離間されている。また、第１シート部２７の端縁２７ａと、後外面シート１２の外端縁１２ｂとは、互いに接触することなく縦方向Ｙに離間されている。これら離間距離は、約１〜１０ｍｍ、この実施形態では約８ｍｍとされている。
【００２９】
内面シート１３は、その前端縁１３ａが端縁２６ａを超えて第１シート部２６に重なり、後端縁１３ｂが端縁２７ａを超えて第１シート部２７に重なる大きさを有している。具体的には、内面シート１３の縦方向Ｙの長さ寸法は約６００〜６５０ｍｍ、この実施形態では約６２０ｍｍとされている。
【００３０】
第２シート部２６，２７の端縁２６ａ，２７ａと前後外面シート１１，１２との離間部分では、第１シート部２４，２５と内面シート１３との２枚のシートのみが積層された低剛性領域５１，５２が形成されている。低剛性領域５１，５２の縦方向Ｙの長さ寸法は、外端縁１１ｂ，１２ｂと端縁２６ａ，２７ａとの離間寸法と同じである。すなわち、低剛性領域５１，５２の縦方向Ｙの長さ寸法は約１〜１０ｍｍ、この実施形態では約８ｍｍとされている（段落００２８参照）。低剛性領域５１，５２の縦方向Ｙ内側では、内面シート１３と、前外面シート１１または後外面シート１２と、第１シート部２４または第１シート部２５とが積層され、それぞれ３枚重ねにされた内側高剛性領域５３，５４が形成されている。内側高剛性領域５３，５４の縦方向Ｙの長さ寸法は、約１０〜２０ｍｍ、この実施形態では約１５ｍｍとされている。低剛性領域５１，５２の縦方向Ｙ外側では、内面シート１３と、第２シート部２６または第２シート部２７と、第１シート部２４または第１シート部２５とが積層され、それぞれ３枚重ねにされた外側高剛性領域５５，５６が形成されている。外側高剛性領域５５，５６の縦方向Ｙの長さ寸法は、約１０〜２０ｍｍ、この実施形態では約１０ｍｍとされている。
【００３１】
上記のようなおむつ１の前後ウエスト域２，３の前後開口シート２１，２２が取り付けられた領域において、低剛性領域５１，５２のシートの積層枚数が他の隣接する内外側高剛性領域５３〜５６よりも少なくなり、その分、剛性が小さくされている。このような低剛性領域５１，５２および内外側高剛性領域５３〜５６は、前後ウエスト域２，３において横方向Ｘにそれぞれ延びて、これら領域で剛性変化域５０を形成している。
【００３２】
前後ウエスト弾性体１８ａ，１９ａは、少なくとも低剛性領域５１の縦方向Ｙ外側に位置し、この実施形態では、前後ウエスト弾性体１８ａ，１９ａのうち、最も縦方向Ｙ外側に位置するものは、第１シート部２４，２５の端縁２４ａ，２５ａとほぼ一致する位置に配置され、その他の弾性体は、それよりも縦方向Ｙ内側に位置するように取り付けられている。これら前後ウエスト弾性体１８ａ，１９ａと、前後開口弾性体２８，２９との縦方向Ｙの離間距離は、約２０〜３５ｍｍ、この実施形態では約３３ｍｍとされて、これら縦方向Ｙに対向する前後ウエスト弾性体１８ａ，１９ａおよび前後開口弾性体２８，２９で、剛性変化域５０が区画されている。換言すれば、剛性変化域５０の縦方向Ｙの長さ寸法が約２０〜３５ｍｍ、この実施形態では約３３ｍｍとされる。
【００３３】
前後ウエスト弾性体１８ａ，１９ａにおける互いの縦方向Ｙにおけるピッチは、約５〜１５ｍｍとされ、剛性変化域５０の縦方向Ｙの長さ寸法よりも小さくされている。同様に、前後開口弾性体２８，２９における互いの縦方向Ｙにおけるピッチは、約５〜１０ｍｍとされ、剛性変化域５０の縦方向Ｙの長さ寸法よりも小さくされている。なお、「ピッチ」とは、隣接する一方の弾性体の中心から他方の弾性体の中心までの離間寸法である（以下同じ）。
【００３４】
上記のようなおむつ１において、前後ウエスト域２，３には、剛性変化域５０が形成されているから、おむつ１の着用時に、前後ウエスト域２，３がクロッチ域４側にずれた場合等には、前後ウエスト域２，３は、低剛性領域５１，５２に沿って折れ曲がりやすく、特に、おむつ１の着用状態においては、低剛性領域５１，５２が外側に突出するように折れ曲がる。すなわち、低剛性領域５１，５２に位置する仮想線Ｒに沿って前後ウエスト域２，３が折れ曲がる（図１参照）。また、低剛性領域５１，５２に隣接する領域では、高剛性領域５３〜５６が形成され、前後ウエスト弾性体１８ａ，１９ａおよび前後開口弾性体２８，２９によって区画されている。したがって、弾性体に近接する高剛性領域５３〜５６では、各弾性体の収縮によって縦方向Ｙに延びる皺が形成され、この領域では横方向Ｘに延びる折曲線が形成されにくく、より一層低剛性領域５１，５２に沿ってのみ折れ曲がりやすい。
【００３５】
前後ウエスト域が低剛性領域５１，５２に沿って折れ曲がると、折れ曲がった部分には着用者の身体との間で空隙が形成され、おむつ１が着用者の肌から部分的に離間されるから、おむつ１内の通気性が向上し、着用者の肌のかぶれや蒸れを防止することができる。また、おむつ１を着用者が引き上げようとした場合に、折れ曲がった低剛性領域５１，５２に着用者の指が引っかかりやすく、着用者は容易におむつ１を引き上げることができる。低剛性領域５１，５２には高剛性領域５３〜５６が隣接しているので、着用者がおむつ１を強く引き上げた場合でも、おむつ１が破れるのを防止することができる。
【００３６】
剛性変化域５０が、おむつ１の外側に突出することによって、この突出部分を摘んでおむつ１全体を引き上げたり、引き下げたりすることもできる。また、剛性変化域５０には弾性体が取り付けられず、着用者に対する締め付け力を部分的に低下させることができるから、おむつ１を横方向Ｘに広げ易くすることができる。ただし、前後ウエスト域２，３全体の締め付け力は、おむつ１が着用者に密着する程度に維持する必要がある。この場合には、剛性変化域５０以外の領域の締め付け力を調整することによって、着用者への密着性等を確保することが可能である。
【００３７】
剛性変化域５０の縦方向Ｙの長さ寸法を約２０〜３５ｍｍとしているが、２０ｍｍよりも小さい場合には、折り曲げられる領域が小さくなり、十分な通気性が得られず、また、これを摘む際には摘み難くなる。また、３５ｍｍよりも大きい場合には、剛性変化域５０の縦方向Ｙ内外側に位置する前後ウエスト弾性体１８ａ，１９ａおよび前後開口弾性体２８，２９が取り付けられた領域が狭くなり、おむつ１の着用者に対する十分な締め付け力を確保することができなくなる可能性がある。
【００３８】
剛性変化域５０の縦方向Ｙの長さ寸法、すなわち、剛性変化域５０を区画する前後ウエスト弾性体１８ａ，１９ａと前後開口弾性体２８，２９との離間寸法よりも、その縦方向Ｙ内外側に位置する前後ウエスト弾性体１８ａ，１９ａおよび前後開口弾性体２８，２９の縦方向Ｙの離間寸法（ピッチ）のほうが小さくなるようにしているので、剛性変化域５０において、横方向Ｘに延びる線に沿って前後ウエスト域２，３を折曲がりやすくすることができる。
【００３９】
低剛性領域５１，５２の縦方向Ｙの長さ寸法が、約１〜１０ｍｍとされているが、１ｍｍよりも小さくなると、これに沿って前後ウエスト域２，３が折れ曲がり難く、１０ｍｍよりも大きくなると、強度が不十分となり、破れてしまう可能性がある。
【００４０】
前ウエスト域２における剛性変化域５０は、ウエスト開口５すなわち前開口シート２１の境界線２３からクロッチ域４側に約３２ｍｍ離間した部分に形成され、後ウエスト域３における剛性変化域５０は、ウエスト開口５すなわち後開口シート２２の境界線２３からクロッチ域４側に約７２ｍｍ離間した部分に形成されている。このように、前後ウエスト域２，３において剛性変化域５０の形成される位置が異なることで、空隙が形成される位置をずらすことができ、それら両側からおむつ１内外の空気を換気することができるので、より一層おむつ１内の湿度を低下させることができる。
【００４１】
おむつ１の前後外面シート１１，１２は、縦方向Ｙに離間されているが、これが離間されず、連続しているものでもよい。また、この実施形態では、前後ウエスト域２，３の両側縁７が互いに接合された、いわゆるプルオンパンツ型のおむつについて説明しているが、両側縁があらかじめ接合されていない、いわゆるオープン型のおむつに適用することも可能である。
【００４２】
おむつ１を構成する各構成部材には、本明細書に記載されている材料のほかに、この種の分野において通常用いられている、各種の公知の材料を制限なく用いることができる。
本発明の明細書および特許請求の範囲において、用語「第１」および「第２」は、同様の要素、位置等を単に区別するために用いられている。
【符号の説明】
【００４３】
１    おむつ（使い捨て着用物品）
２    前ウエスト域
３    後ウエスト域
４    クロッチ域
５    ウエスト開口
６    レッグ開口
７    両側縁
８    前端縁
９    後端縁
１０    シャーシ
１１    前外面シート（外面シート）
１２    後外面シート（外面シート）
１３    内面シート
１８ａ  前ウエスト弾性体（ウエスト弾性体）
１８ｂ  前レッグ弾性体（ウエスト弾性体）
１９ａ  後ウエスト弾性体（内側ウエスト弾性体）
１９ｂ  後レッグ弾性体（内側ウエスト弾性体）
２１    前開口シート（開口シート）
２２    後開口シート（開口シート）
２３    境界線
２４，２５    第１シート部
２６，２７    第２シート部
２８    前開口弾性体（外側ウエスト弾性体）
２９    後開口弾性体（外側ウエスト弾性体）
３０    吸収体
５０    剛性変化域
５１，５２    低剛性領域
５３，５４    内側高剛性領域（高剛性領域）
５５，５６    外側高剛性領域（高剛性領域）
Ｘ    横方向
Ｙ    縦方向
【図１】
0005530251.tif 000002
【図２】
0005530251.tif 000003
【図３】
0005530251.tif 000004
【図４】
0005530251.tif 000005
【図５】
0005530251.tif 000006